(57)【要約】【課題】操作表示部の煩雑な操作をすることなく、確実に使用したい機能を実施することができるスキャナ装置を提供すること。【解決手段】原稿シート１１の画像を読み取りイメージデータを生成するスキャナ部３と、イメージデータを出力する通信部４ａ、プリンタ部４ｂ、ファクシミリ部４ｃ、メモリカード処理部４ｄなどのイメージデータ出力部４とを有する複合機１において、スキャナ部３が読み取り可能な範囲であり、かつイメージデータ出力部４が処理するに可能な範囲外である原稿シート１１の領域に付与された制御情報に基づいてイメージデータ出力部４を制御するイメージデータ処理部８を備えた。【選択図】図１
2006191259.tif 000002
【特許請求の範囲】
【請求項１】
原稿シートの画像を読み取りイメージデータを生成する読取手段と、前記イメージデータを出力するイメージデータ出力手段とを有するスキャナ装置において、
前記読取手段が読み取り可能な範囲であり、かつ前記イメージデータ出力手段が処理するに可能な範囲外である前記原稿シートの領域に付与された制御情報に基づいて前記イメージデータ出力手段を制御するイメージデータ処理手段を備えたことを特徴とするスキャナ装置。
【請求項２】
原稿シートの画像を読み取りイメージデータを生成する読取手段と、前記イメージデータを出力するイメージデータ出力手段とを有するスキャナ装置において、
前記読取手段が読み取り可能な範囲であり、かつ前記イメージデータ出力手段が処理するに可能な範囲内である前記原稿シートの領域に付与された制御情報に基づいて、前記イメージデータ出力手段を制御するとともに、前記読取手段が生成したイメージデータから前記制御情報のイメージデータを除外して前記イメージデータ出力手段へ出力するイメージデータ処理手段を備えたことを特徴とするスキャナ装置。
【請求項３】
前記イメージデータ出力手段は、他の装置へ通信回線を介して前記イメージデータを送信するイメージデータ送信手段であり、
前記イメージデータ処理手段は、送信制御情報として付与された前記制御情報に基づいて前記イメージデータ送信手段を制御する機能を備えたことを特徴とする請求項１または２記載のスキャナ装置。
【請求項４】
前記イメージデータ出力手段は、前記イメージデータを印字媒体に印字するプリンタ手段であり、
前記イメージデータ処理手段は、印字制御情報として付与された前記制御情報に基づいて前記プリンタ手段を制御する機能を備えたことを特徴とする請求項１または２記載のスキャナ装置。
【請求項５】
前記イメージデータ出力手段は、前記イメージデータを電話回線にファックスするファクシミリ手段であり、
前記イメージデータ処理手段は、ファクシミリ制御情報として付与された前記制御情報に基づいて前記ファクシミリ手段を制御する機能を備えたことを特徴とする請求項１または２記載のスキャナ装置。
【請求項６】
前記イメージデータ出力手段は、前記イメージデータを脱着可能なメモリカードに格納するメモリカード出力手段であり、
前記イメージデータ処理手段は、メモリカード出力制御情報として付与された前記制御情報に基づいて前記メモリカード出力手段を制御する機能を備えたことを特徴とする請求項１または２記載のスキャナ装置。
【請求項７】
前記イメージデータ処理手段は、前記制御情報に含まれる選択情報に基づいて、複数あるイメージデータ出力手段の中から出力先を選択する機能を備えたことを特徴とする請求項１から６のいずれかの項に記載のスキャナ装置。
【請求項８】
前記イメージデータ処理手段は、前記制御情報に基づいて前記読取手段が読み取ったイメージデータを加工することを特徴とする請求項１から７のいずれかの項に記載のスキャナ装置。
【請求項９】
前記読取手段は、前記原稿シートを順次走査してイメージデータを生成する機能を備え、
前記イメージデータ処理手段は、前記制御情報を走査した後のイメージデータの走査を、前記制御情報に含まれる読取情報に基づいて制御する機能を備えたことを特徴とする請求項１または２記載のスキャナ装置。
【請求項１０】
画像を読み取りイメージデータを生成する読取手段と、前記イメージデータを出力するイメージデータ出力手段と、前記イメージデータ出力手段を制御するイメージデータ処理手段とを有するスキャナ装置が読み取る原稿シートであって、
前記読取手段が読み取り可能な範囲であり、かつ前記イメージデータ出力手段が処理するに可能な範囲外である領域に、前記イメージデータ処理手段が前記イメージデータ出力手段を制御する情報である制御情報が付与されていることを特徴とする原稿シート。
【請求項１１】
画像を読み取りイメージデータを生成する読取手段と、前記イメージデータを出力するイメージデータ出力手段と、前記イメージデータ出力手段を制御するイメージデータ処理手段とを有するスキャナ装置が読み取る原稿シートであって、
前記読取手段が読み取り可能な範囲であり、かつ前記イメージデータ出力手段が処理するに可能な範囲内である領域に、前記イメージデータ処理手段が前記イメージデータ出力手段を制御する情報であるとともに、前記読取手段が生成したイメージデータから除外される制御情報が付与されていることを特徴とする原稿シート。
【請求項１２】
前記制御情報には、前記イメージデータ処理手段が複数あるイメージデータ出力手段の中から出力先を選択する選択情報が含まれていることを特徴とする請求項１０または１１記載の原稿シート。
【請求項１３】
前記制御情報には、前記イメージデータ処理手段が前記読取手段により読み取ったイメージデータを加工する内容を示す情報が含まれていることを特徴とする請求項１０から１２のいずれかの項に記載の原稿シート。
【請求項１４】
前記制御情報には、前記読取手段が前記原稿シートを順次走査してイメージデータを生成する機能を備えていたときに、この走査を制御する読取情報が含まれていることを特徴とする請求項１０または１１記載の原稿シート。
【請求項１５】
画像を読み取りイメージデータを生成する読取手段と、前記イメージデータを出力するイメージデータ出力手段と、前記イメージデータ出力手段を制御するイメージデータ処理手段とを有するスキャナ装置が読み取る原稿シートを収納する原稿シートホルダであって、
前記読取手段が読み取り可能な範囲であり、かつ前記イメージデータ出力手段が処理するに可能な範囲外である領域に、前記イメージデータ処理手段が前記イメージデータ出力手段を制御する情報である制御情報が付与されていることを特徴とする原稿シートホルダ。
【請求項１６】
画像を読み取りイメージデータを生成する読取手段と、前記イメージデータを出力するイメージデータ出力手段と、前記イメージデータ出力手段を制御するイメージデータ処理手段とを有するスキャナ装置が読み取る原稿シートを収納する原稿シートホルダであって、
前記読取手段が読み取り可能な範囲であり、かつ前記イメージデータ出力手段が処理するに可能な範囲内である領域に、前記イメージデータ処理手段が前記イメージデータ出力手段を制御する情報であるとともに、前記読取手段が生成したイメージデータから除外される制御情報が付与されていることを特徴とする原稿シートホルダ。
【請求項１７】
前記制御情報には、前記イメージデータ処理手段が複数あるイメージデータ出力手段の中から出力先を選択する選択情報が含まれていることを特徴とする請求項１５または１６記載の原稿シートホルダ。
【請求項１８】
前記制御情報は、前記イメージデータ処理手段が前記読取手段により読み取ったイメージデータを加工する内容を示す情報を含むことを特徴とする請求項１５から１７のいずれかの項に記載の原稿シートホルダ。
【請求項１９】
前記制御情報には、前記読取手段が前記原稿シートを順次走査してイメージデータを生成する機能を備えていたときに、この走査を制御する読取情報が含まれていることを特徴とする請求項１５または１６記載の原稿シートホルダ。
【発明の詳細な説明】
【技術分野】
【０００１】
本発明は、読み取ったイメージデータの情報に基づいて制御可能なスキャナ装置、原稿シートおよび原稿シートホルダに関する。
【背景技術】
【０００２】
スキャナ装置は、原稿シートをイメージセンサで読み取って、イメージデータとして生成することができる。このイメージデータを紙媒体に印刷すれば、このスキャナ装置はコピー装置となり、電話回線へ出力するようにすればファクシミリ装置となる。またこれらの出力手段を複合して搭載することで、複合機となる。つまりイメージデータの入力手段としてスキャナ装置は汎用性が非常に高い装置である。
【０００３】
しかし、コピー装置として使用するときには、スキャナ装置で読み取った原稿を、紙媒体へ印刷するにあたって、何部印刷するのか、縮小率や、拡大率など、一つ一つ指示する必要があり煩雑である。また、その際には、希望するコピーの方法とは異なる方法で誤って指示することもある。
【０００４】
このような操作ミスを減少させることができる複合機が、（特許文献１）に記載されている。（特許文献１）に記載の複合機は、カードリーダに部門別に割り当てられた識別コードを有する磁気カードが挿入されると、時間帯に応じて最も使用頻度の高いジョブに対応する初期画面をデフォルト画面として操作表示部に表示させるものである。
【特許文献１】特開平１０−７９８１９号公報
【発明の開示】
【発明が解決しようとする課題】
【０００５】
しかし、（特許文献１）に記載の複合機においても、使用頻度の高いジョブ（機能）の操作画面を表示するだけであって、操作を行わないと実行されない。つまり、その煩雑さや、操作ミスは緩和されるかもしれないが、防止することはできない。また使用頻度の低い機能は、やはり希望の操作画面まで操作表示部を操作する必要がある。
【０００６】
そこで本発明は、操作表示部の煩雑な操作をすることなく、確実に使用したい機能を実施することができるスキャナ装置を提供することを目的とする。
【課題を解決するための手段】
【０００７】
本発明のスキャナ装置は、原稿シートの画像を読み取りイメージデータを生成する読取手段と、前記イメージデータを出力するイメージデータ出力手段とを有するスキャナ装置において、前記読取手段が読み取り可能な範囲であり、かつ前記イメージデータ出力手段が処理するに可能な範囲外である前記原稿シートの領域に付与された制御情報に基づいて前記イメージデータ出力手段を制御するイメージデータ処理手段を備えたことを特徴とする。
【０００８】
また、本発明の原稿シートは、画像を読み取りイメージデータを生成する読取手段と、前記イメージデータを出力するイメージデータ出力手段と、前記イメージデータ出力手段を制御するイメージデータ処理手段とを有するスキャナ装置が読み取る原稿シートであって、前記読取手段が読み取り可能な範囲であり、かつ前記イメージデータ出力手段が処理するに可能な範囲外である領域に、前記イメージデータ処理手段が前記イメージデータ出力手段を制御する情報である制御情報が付与されていることを特徴とする。
【０００９】
また、本発明の原稿シートホルダは、画像を読み取りイメージデータを生成する読取手段と、前記イメージデータを出力するイメージデータ出力手段と、前記イメージデータ出力手段を制御するイメージデータ処理手段とを有するスキャナ装置が読み取る原稿シートを収納する原稿シートホルダであって、前記読取手段が読み取り可能な範囲であり、かつ前記イメージデータ出力手段が処理するに可能な範囲外である領域に、前記イメージデータ処理手段が前記イメージデータ出力手段を制御する情報である制御情報が付与されていることを特徴とする。
【発明の効果】
【００１０】
本発明によれば、制御情報が付与された原稿シートを読取手段に読ませるだけで、煩雑な操作をすることなくスキャナ装置を制御することが可能であり、かつ確実に使用したい機能を実施することができる。
【発明を実施するための最良の形態】
【００１１】
本願の第１の発明は、原稿シートの画像を読み取りイメージデータを生成する読取手段と、イメージデータを出力するイメージデータ出力手段とを有するスキャナ装置において、読取手段が読み取り可能な範囲であり、かつイメージデータ出力手段が処理するに可能な範囲外である原稿シートの領域に付与された制御情報に基づいてイメージデータ出力手段を制御するイメージデータ処理手段を備えたことを特徴としたものである。
【００１２】
制御情報が、読取手段が読み取り可能な範囲であり、かつイメージデータ出力手段が処理するに可能な範囲外である原稿シートの領域に付与されているので、イメージデータ出力手段が出力するイメージデータに影響を与えることなく原稿シートに付与できる。また、この制御情報に基づいてイメージデータ処理手段がイメージデータ出力手段を制御するので、制御情報が付与された原稿シートを読取手段に読ませるだけで、制御することが可能である。
【００１３】
本願の第２の発明は、原稿シートの画像を読み取りイメージデータを生成する読取手段と、イメージデータを出力するイメージデータ出力手段とを有するスキャナ装置において、読取手段が読み取り可能な範囲であり、かつイメージデータ出力手段が処理するに可能な範囲内である原稿シートの領域に付与された制御情報に基づいて、イメージデータ出力手段を制御するとともに、読取手段が生成したイメージデータから制御情報のイメージデータを除外してイメージデータ出力手段へ出力するイメージデータ処理手段を備えたことを特徴としたものである。
【００１４】
制御情報が、読取手段が読み取り可能な範囲であり、かつイメージデータ出力手段が処理するに可能な範囲内である原稿シートの領域に付与されていても、イメージデータ処理手段が、この制御情報のイメージデータを除外してイメージデータ出力手段へ出力するので、イメージデータ出力手段が出力するイメージデータに影響を与えることなく原稿シートに付与できる。また、この制御情報に基づいてイメージデータ処理手段がイメージデータ出力手段を制御するので、制御情報が付与された原稿シートを読取手段に読ませるだけで、制御することが可能である。
【００１５】
本願の第３の発明は、イメージデータ出力手段は、他の装置へ通信回線を介してイメージデータを送信するイメージデータ送信手段であり、イメージデータ処理手段は、送信制御情報として付与された制御情報に基づいてイメージデータ送信手段を制御する機能を備えたことを特徴としたものである。
【００１６】
イメージデータ処理手段が、送信制御情報として付与された制御情報に基づいて、他の装置へ通信回線を介してイメージデータを送信する送信手段を制御するので、煩雑な操作や設定なしに、他の装置へイメージデータを送信することが可能である。
【００１７】
本願の第４の発明は、イメージデータ出力手段は、イメージデータを印字媒体に印字するプリンタ手段であり、イメージデータ処理手段は、印字制御情報として付与された制御情報に基づいてプリンタ手段を制御する機能を備えたことを特徴としたものである。
【００１８】
イメージデータ処理手段が、印字制御情報として付与された制御情報に基づいて、イメージデータを紙媒体に印字するプリンタ手段を制御するので、煩雑な操作や設定なしに、印字媒体にイメージデータを印字することが可能である。
【００１９】
本願の第５の発明は、イメージデータ出力手段は、イメージデータを電話回線にファックスするファクシミリ手段であり、イメージデータ処理手段は、ファクシミリ制御情報として付与された制御情報に基づいてファクシミリ手段を制御する機能を備えたことを特徴としたものである。
【００２０】
イメージデータ処理手段が、ファクシミリ制御情報として付与された制御情報に基づいて、イメージデータを電話回線にファックスするファクシミリ手段を制御するので、煩雑な操作や設定なしに、電話回線にイメージデータをファックスすることが可能である。
【００２１】
本願の第６の発明は、イメージデータ出力手段は、イメージデータを脱着可能なメモリカードに格納するメモリカード出力手段であり、イメージデータ処理手段は、メモリカード出力制御情報として付与された制御情報に基づいてメモリカード出力手段を制御する機能を備えたことを特徴としたものである。
【００２２】
イメージデータ処理手段が、メモリカード出力制御情報として付与された制御情報に基づいて、イメージデータを脱着可能なメモリカードに格納するメモリカード出力手段を制御するので、煩雑な操作や設定なしに、イメージデータをメモリカードに格納することが可能である。
【００２３】
本願の第７の発明は、イメージデータ処理手段は、制御情報に含まれる選択情報に基づいて、複数あるイメージデータ出力手段の中から出力先を選択する機能を備えたことを特徴としたものである。
【００２４】
イメージデータ処理手段が、制御情報に含まれる選択情報に基づいて、複数あるイメージデータ出力手段の中から出力先を選択するので、イメージデータ出力手段を複数備えていても、煩雑な設定や操作なしに、イメージデータの出力先を選択することができる。
【００２５】
本願の第８の発明は、イメージデータ処理手段は、制御情報に基づいて読取手段が読み取ったイメージデータを加工することを特徴としたものである。
【００２６】
制御情報には、イメージデータを加工する内容を示した情報が含まれている。この情報に基づいてイメージデータ処理手段が、イメージデータを加工するので、イメージデータ出力手段に応じた最適なイメージデータとすることができる。
【００２７】
本願の第９の発明は、読取手段は、原稿シートを順次走査してイメージデータを生成する機能を備え、イメージデータ処理手段は、制御情報を走査した後のイメージデータの走査を、制御情報に含まれる読取情報に基づいて制御する機能を備えたことを特徴としたものである。
【００２８】
読取手段が、原稿シートを順次走査してイメージデータを生成するものであるときに、制御情報に含まれる読取情報に基づいて、制御情報を走査した後のイメージデータの走査を制御することで、走査する設定情報を読取情報として原稿シートに付与すれば、煩雑な設定を行うことなく、最適なイメージデータの読み取りを行うことができる。
【００２９】
本願の第１０の発明は、画像を読み取りイメージデータを生成する読取手段と、イメージデータを出力するイメージデータ出力手段と、イメージデータ出力手段を制御するイメージデータ処理手段とを有するスキャナ装置が読み取る原稿シートであって、読取手段が読み取り可能な範囲であり、かつイメージデータ出力手段が処理するに可能な範囲外である領域に、イメージデータ処理手段がイメージデータ出力手段を制御する情報である制御情報が付与されていることを特徴としたものである。
【００３０】
制御情報が、読取手段が読み取り可能な範囲であり、かつイメージデータ出力手段が処理するに可能な範囲外である領域に付与された原稿シートとしたので、イメージデータ出力手段が出力するイメージデータに影響を与えることがない。また、この制御情報に基づいてスキャナ装置のイメージデータ処理手段がイメージデータ出力手段を制御するので、制御情報が付与された原稿シートを読取手段に読ませるだけで、制御することが可能である。
【００３１】
本願の第１１の発明は、画像を読み取りイメージデータを生成する読取手段と、イメージデータを出力するイメージデータ出力手段と、イメージデータ出力手段を制御するイメージデータ処理手段とを有するスキャナ装置が読み取る原稿シートであって、読取手段が読み取り可能な範囲であり、かつイメージデータ出力手段が処理するに可能な範囲内である領域に、イメージデータ処理手段がイメージデータ出力手段を制御する情報であるとともに、読取手段が生成したイメージデータから除外される制御情報が付与されていることを特徴としたものである。
【００３２】
制御情報が、読取手段が読み取り可能な範囲であり、かつイメージデータ出力手段が処理するに可能な範囲内である領域に付与された原稿シートとしても、イメージデータ処理手段が、この制御情報のイメージデータを除外してイメージデータ出力手段へ出力するので、イメージデータ出力手段が出力するイメージデータに影響を与えることがない。また、この制御情報に基づいてイメージデータ処理手段がイメージデータ出力手段を制御するので、制御情報が付与された原稿シートを読取手段に読ませるだけで、制御することが可能である。
【００３３】
本願の第１２の発明は、制御情報には、イメージデータ処理手段が複数あるイメージデータ出力手段の中から出力先を選択する選択情報が含まれていることを特徴としたものである。
【００３４】
原稿シートに付与された制御情報に含まれる選択情報に基づいて、イメージデータ処理手段が、複数あるイメージデータ出力手段の中から出力先を選択するので、イメージデータ出力手段を複数備えていても、煩雑な設定や操作なしに、イメージデータの出力先を選択することができる。
【００３５】
本願の第１３の発明は、制御情報には、イメージデータ処理手段が読取手段により読み取ったイメージデータを加工する内容を示す情報が含まれていることを特徴としたものである。
【００３６】
原稿シートに付与された制御情報には、イメージデータを加工する内容を示した情報が含まれている。この情報に基づいてイメージデータ処理手段が、イメージデータを加工するので、この情報をイメージデータ出力手段がイメージデータを出力するに最適な加工の内容とすることで、イメージデータ処理手段の機能に応じた最適なイメージデータとすることができる。
【００３７】
本願の第１４の発明は、制御情報には、読取手段が原稿シートを順次走査してイメージデータを生成する機能を備えていたときに、この走査を制御する読取情報が含まれていることを特徴としたものである。
【００３８】
読取手段が、原稿シートを順次走査してイメージデータを生成するものであるときに、制御情報に含まれる読取情報に基づいて、制御情報を走査した後のイメージデータの走査を制御することで、走査する設定情報を読取情報として原稿シートに付与すれば、煩雑な設定を行うことなく、最適なイメージデータの読み取りを行うことができる。
【００３９】
本願の第１５の発明は、画像を読み取りイメージデータを生成する読取手段と、イメージデータを出力するイメージデータ出力手段と、イメージデータ出力手段を制御するイメージデータ処理手段とを有するスキャナ装置が読み取る原稿シートを収納する原稿シートホルダであって、読取手段が読み取り可能な範囲であり、かつイメージデータ出力手段が処理するに可能な範囲外である領域に、イメージデータ処理手段がイメージデータ出力手段を制御する情報である制御情報が付与されていることを特徴としたものである。
【００４０】
制御情報が、読取手段が読み取り可能な範囲であり、かつイメージデータ出力手段が処理するに可能な範囲外である領域に付与された原稿シートホルダとしたので、イメージデータ出力手段が出力するイメージデータに影響を与えることがない。また、この制御情報に基づいてスキャナ装置のイメージデータ処理手段がイメージデータ出力手段を制御するので、制御情報が付与された原稿シートホルダを読取手段に読ませるだけで、制御することが可能である。
【００４１】
本願の第１６の発明は、画像を読み取りイメージデータを生成する読取手段と、イメージデータを出力するイメージデータ出力手段と、イメージデータ出力手段を制御するイメージデータ処理手段とを有するスキャナ装置が読み取る原稿シートを収納する原稿シートホルダであって、読取手段が読み取り可能な範囲であり、かつイメージデータ出力手段が処理するに可能な範囲内である領域に、イメージデータ処理手段がイメージデータ出力手段を制御する情報であるとともに、読取手段が生成したイメージデータから除外される制御情報が付与されていることを特徴としたものである。
【００４２】
制御情報が、読取手段が読み取り可能な範囲であり、かつイメージデータ出力手段が処理するに可能な範囲内である領域に付与された原稿シートホルダとしても、イメージデータ処理手段が、この制御情報のイメージデータを除外してイメージデータ出力手段へ出力するので、イメージデータ出力手段が出力するイメージデータに影響を与えることがない。また、この制御情報に基づいてイメージデータ処理手段がイメージデータ出力手段を制御するので、制御情報が付与された原稿シートホルダを読取手段に読ませるだけで、制御することが可能である。
【００４３】
本願の第１７の発明は、制御情報には、イメージデータ処理手段が複数あるイメージデータ出力手段の中から出力先を選択する選択情報が含まれていることを特徴としたものである。
【００４４】
原稿シートを収納する原稿シートホルダに付与された制御情報に含まれる選択情報に基づいて、イメージデータ処理手段が、複数あるイメージデータ出力手段の中から出力先を選択するので、イメージデータ出力手段を複数備えていても、煩雑な設定や操作なしに、イメージデータの出力先を選択することができる。また、イメージデータ処理手段が、機能情報に基づいて選択されたイメージデータ出力手段を制御するので、制御情報が付与された原稿シートホルダを読取手段に読ませるだけで、制御することが可能である。
【００４５】
本願の第１８の発明は、制御情報は、イメージデータ処理手段が読取手段により読み取ったイメージデータを加工する内容を示す情報を含むことを特徴としたものである。
【００４６】
原稿シートホルダに付与された制御情報には、イメージデータを加工する内容を示した情報が含まれている。この情報に基づいてイメージデータ処理手段が、イメージデータを加工するので、イメージデータ出力手段の機能に応じた最適なイメージデータとすることができる。
【００４７】
本願の第１９の発明は、制御情報には、読取手段が原稿シートを順次走査してイメージデータを生成する機能を備えていたときに、この走査を制御する読取情報が含まれていることを特徴としたものである。
【００４８】
読取手段が、原稿シートを順次走査してイメージデータを生成するものであるときに、制御情報に含まれる読取情報に基づいて、制御情報を走査した後のイメージデータの走査を制御することで、走査する設定情報を読取情報として原稿シートホルダに付与すれば、煩雑な設定を行うことなく、最適なイメージデータの読み取りを行うことができる。
【００４９】
（実施の形態）
本発明の実施の形態に係るスキャナ装置を、複合機を例に図１に基づいて説明する。図１は、本発明の実施の形態に係るスキャナ装置の一例である複合機を説明する図である。
【００５０】
図１に示すように、複合機１は、パーソナルコンピュータ（以下、ＰＣと称す。）２と通信回線２ａの一例としてＵＳＢ（Ｕｎｉｖｅｒｓａｌ  Ｓｅｒｉａｌ  Ｂｕｓ）で接続されている。ＰＣ２からの指示により複合機１は動作させることができる。
【００５１】
複合機１は、原稿シート１１を読み取るスキャナ部３と、イメージデータを出力するイメージデータ出力部４と、操作部５と、表示部６と、音声発生部７と、イメージデータ処理部８とを備えている。
【００５２】
スキャナ部３は、原稿シート１１を読み取ることでイメージデータを生成する読取手段である。この生成されたイメージデータは、通信部４ａや、プリンタ部４ｂや、ファクシミリ部４ｃや、メモリカード処理部４ｄなどのイメージデータ出力部４へ用途に応じてイメージデータ処理部８により制御され出力される。
【００５３】
イメージデータ出力部４は、スキャナ部３が読み取ったイメージデータをイメージデータ処理部８の制御により出力するイメージデータ出力手段として機能する。イメージデータ出力部４は、通信部４ａと、プリンタ部４ｂと、ファクシミリ部４ｃと、メモリカード処理部４ｄとを備えている。
【００５４】
通信部４ａは、ＰＣ２と通信を行う機能を有している。本実施の形態では、上述したようにＰＣ２はＵＳＢを備えたものであるので、ＰＣ２と接続するために、通信部４ａをＵＳＢが制御可能なものとしている。ＰＣ２とＬＡＮ（Ｌｏｃａｌ  Ａｒｅａ  Ｎｅｔｗｏｒｋ）で接続する場合には、通信部４ａを１００Ｂａｓｅ−Ｔや無線ＬＡＮなどの機能を備えたものとすることも可能である。スキャナ部３で読み取ったイメージデータをイメージデータ処理部８の制御により送信する際にはイメージデータ送信手段として機能する。
【００５５】
プリンタ部４ｂは、印字媒体を図示していない給紙機構で搬送して印字データを印字するプリンタ手段である。スキャナ部３で読み取ったイメージデータをイメージデータ処理部８からの制御によりプリンタ部４ｂへ出力することで、プリンタ部４ｂが用紙などの印字媒体１２に印字して複合機１をコピー装置として機能させることができる。
【００５６】
ファクシミリ部４ｃは、電話回線１３を介して交換局１４と接続され、イメージデータをイメージデータ処理部８の制御により電話回線１３へ送信するファクシミリ手段である。この機能により複合機１はファクシミリ装置として機能する。またＰＣ２から送信されたイメージデータを、通信部４ａを介して受信して電話回線１３へ送信することも可能である。
【００５７】
メモリカード処理部４ｄは、メモリカード１５を装着するスロットを備えており、スキャナ部３が読み取ったイメージデータをイメージデータ処理部８によりメモリカード１５に格納するメモリカード出力手段である。また、メモリカード１５に格納されたイメージデータを読み取る機能も備えている。メモリカード１５は、ＳＤ（Ｓｅｃｕｒｅ  Ｄｉｇｉｔａｌ）カード、コンパクトフラッシュ（登録商標）、スマートメディアなどが使用できる。
【００５８】
操作部５は、複合機１を操作するためのボタンである。操作者が操作部５を操作することで、押下されたボタン情報がイメージデータ処理部８へ通知され、複合機１の状態に応じてイメージデータ処理部８により制御される。表示部６は、液晶表示パネルなどの表示手段であり、イメージデータ処理部８の制御により複合機１の状態などを表示する。
【００５９】
音声発生部７は、イメージデータ処理部８から通知により音声を発生する。この音声発生部７はスピーカなどが使用できる。
【００６０】
イメージデータ処理部８は、記憶部８ａと、画像処理部８ｂと、制御部８ｃとを備えている。
【００６１】
記憶部８ａは、スキャナ部３が読み取ったイメージデータや、制御部８ｃが実行するプログラムや、各種設定情報が格納されている。また、画像処理部８ｂや制御部８ｃがワークエリアとしても使用する。
【００６２】
画像処理部８ｂは、制御部８ｃの指示により記憶部８ａに格納されたイメージデータを加工する機能を有している。
【００６３】
制御部８ｃは、複合機１の全体を統括制御する機能を有している。また、制御部８ｃは、スキャナ部３が読み取り可能な範囲であり、かつイメージデータ出力部４が処理するに可能な範囲外である原稿シート１１の領域に付与された制御情報に基づいて、記憶部８ａに格納されたイメージデータを加工するよう画像処理部８ｂへ指示したり、イメージデータ出力部４を制御したりする機能を有している。
【００６４】
更に制御部８ｃは、スキャナ部３が読み取り可能な範囲であり、かつイメージデータ出力部４が処理するに可能な範囲内である原稿シート１１の領域に付与された制御情報に基づいて、記憶部８ａに格納されたイメージデータを加工するよう画像処理部８ｂへ指示したり、イメージデータ出力部４を制御したりするとともに、スキャナ部３が生成したイメージデータから制御情報のイメージデータを除外するよう画像処理部８ｂへ指示する機能を有している。
【００６５】
ここで、複合機１のスキャナ部が読み取る本発明の実施の形態に係る原稿シートおよび原稿シートホルダの制御情報について、図２から図７に基づいて詳細に説明する。図２から図５は、本発明の実施の形態に係る原稿シートに付与された制御情報を説明する図である。図６および図７は、本発明の実施の形態に係る原稿シートホルダに付与された制御情報を説明する図である。
【００６６】
図２に示すように、原稿シート１１には、スキャナ部３で読み取り可能な範囲Ｓ１があり、イメージデータ出力部４が処理するに可能な範囲Ｓ２がある。範囲Ｓ１と範囲Ｓ２との広さは範囲Ｓ１＞範囲Ｓ２の関係を有している。本実施の形態のスキャナ部３では、原稿シート１１が斜めになっていても全体が読み取ることができるように、原稿シート１１より広い範囲を読み取ることができる。従って、範囲Ｓ１は、原稿シート１１より広い範囲となる。また、原稿シート１１と同じ広さを読み取ることができるスキャナ部３では、範囲Ｓ１は原稿シート１１と同じ範囲となる。
【００６７】
そしてイメージデータを出力するイメージデータ出力部４が例えばプリンタ部４ｂであれば、プリンタ部４ｂが処理可能な範囲Ｓ２は、原稿シート１１の端から上下左右４ｍｍ内側となる範囲である。この範囲Ｓ２は、イメージデータ出力部４の種類に応じて異なる値となる。
【００６８】
制御情報は、原稿シート１１の範囲Ｓ１の内側であり、範囲Ｓ２の外側となる領域に付与され、例えば図２に示すようにバーコード１６とすることができる。図２においては原稿シート１１の上部にバーコード１６が付与されているが、範囲Ｓ１の内側であり、範囲Ｓ２の外側となる領域であれば、下側や、右側や、左側でもよい。つまり、範囲Ｓ１の内側であり、範囲Ｓ２の外側となる領域であれば、イメージデータを出力するイメージデータ出力部４が出力するイメージデータに影響を与えることはない。
【００６９】
このバーコード１６には、通信部４ａ、プリンタ部４ｂ、ファクシミリ部４ｃ、メモリカード処理部４ｄのいずれかイメージデータの出力先を選択する選択情報と、読取手段が読み取ったイメージデータをイメージデータ処理部８が加工する内容を示す情報、およびイメージデータ処理部８がイメージデータ出力部４を制御する内容を示す情報を示す機能情報とが含まれている。
【００７０】
図２ではスキャナ部３で読み取り可能な範囲Ｓ１が原稿シート１１より広いか、または等しい場合であったが、図３では、スキャナ部３で読み取り可能な範囲Ｓ１が原稿シート１１の広さより狭い場合を示している。
【００７１】
そうした場合でも、バーコード１６を範囲Ｓ１の内側であり、範囲Ｓ２の外側に付与することで、イメージデータを出力するイメージデータ出力部４が出力するイメージデータに影響を与えることなくバーコード１６を付与することができる。
【００７２】
このバーコード１６は、粘着シートに印刷したシールとしてもよいし、直接原稿シート１１に印刷されていてもよい。
【００７３】
次に、図４および図５では原稿シート１１の範囲Ｓ２の内側にバーコード１６が付与された状態を示している。こうした場合でもイメージデータ処理部８が、スキャナ部３が生成したイメージデータからバーコード１６のイメージデータを除外する機能を備えていれば、イメージデータ出力部４へ出力するイメージデータに影響を与えることはない。
【００７４】
図２から図５では、原稿シート１１にバーコード１６を付与したものとしたが、バーコード１６を、原稿シート１１を収納する原稿シートホルダ１７に付与するようにしてもよい。図６または図７においては、スキャナ部３が読み取り可能な範囲Ｓ１は、原稿シート１１と同じ場合を示している。
【００７５】
図６に示すように、原稿シート１１が原稿シートホルダ１７に原稿シート１１の右上角部を合わせて収納された状態で、範囲Ｓ１の内側で、かつ範囲Ｓ２の外側となる領域にバーコード１６が付与されている。そうすることで、原稿シート１１に直接バーコードを付与した状態と同じものとすることができる。
【００７６】
また、図７に示すように、原稿シート１１が原稿シートホルダ１７に原稿シート１１の右上角部を合わせて収納された状態で、範囲Ｓ１の内側で、かつ範囲Ｓ２の内側となる領域にバーコード１６が付与されている。そうしていてもイメージデータ処理部８が、スキャナ部３が生成したイメージデータからバーコード１６のイメージデータを除外する機能を備えていれば、イメージデータ出力部４へ出力するイメージデータに影響を与えることはない。
【００７７】
このように、原稿シートホルダ１７にバーコード１６を付与することで、例えば、様々な原稿シートを同じ設定内容でプリンタ部４ｂから印字したいときに、原稿シートを原稿シートホルダ１７に収納してスキャナ部３から読み込ませるだけで、同じ条件で印刷することができる。
【００７８】
この原稿シートホルダ１７に付与されたバーコード１６は、バーコード１６が印刷されたシールとしてもよいし、原稿シートホルダ１７に印刷されたものとしてもよい。
【００７９】
以上のように構成された本発明の実施の形態に係るスキャナ装置の一例である複合機１の動作を図８に基づいて説明する。図８は、本発明の実施の形態に係るスキャナ装置の一例である複合機１の動作を説明するフローチャートである。なお図８においては、バーコード１６は、スキャナ部３が読み取り可能な範囲Ｓ１の内側であり、イメージデータ出力部４が処理するに可能な範囲Ｓ２の外側となる領域に付与された図２で示される原稿シート１１を用いるものとする。
【００８０】
まず、操作者は読み取らせたいバーコード１６が付与された原稿シート１１をスキャナ部３へセットする。そして操作部５のスタートボタンを操作してイメージデータの取り込みと行う（Ｓ１０）。
【００８１】
スキャナ部３は読み込んだイメージデータをイメージデータ処理部８の記憶部８ａへ出力すると、イメージデータ処理部８の制御部８ｃは、記憶部８ａのイメージデータから範囲Ｓ１の内側であり範囲Ｓ２の外側の領域にあるバーコード１６の情報を抽出するよう画像処理部８ｂへ指示する（Ｓ２０）。
【００８２】
画像処理部８ｂは、抽出したバーコード１６の情報を制御部８ｃへ通知する。制御部８ｃは、バーコード１６の情報から選択情報を抽出し、イメージデータ出力部４のどの種類を選択したかを判定する（Ｓ３０）。
【００８３】
この選択情報が、イメージデータをメモリカード１５への出力を行うメモリカード処理部４ｄを選択する情報であれば、制御情報はメモリカード出力制御情報であるので、Ｓ８０へ移行する（Ｓ４０）。
【００８４】
また、選択情報が、イメージデータをＰＣ２へ送信する通信部４ａを選択する情報であれば、制御情報は送信制御情報であるので、Ｓ１２０へ移行する（Ｓ５０）。
【００８５】
また、選択情報が、イメージデータを電話回線へファックスするファクシミリ部４ｃを選択する情報であれば、制御情報はファクシミリ制御情報であるので、Ｓ１６０へ移行する（Ｓ６０）。
【００８６】
また、選択情報が、イメージデータを印字媒体１２に印字するプリンタ部４ｂを選択する情報であれば、制御情報は印字制御情報であるので、Ｓ２１０へ移行する（Ｓ７０）。
【００８７】
Ｓ３０にて、選択情報がメモリカード処理部４ｄを選択する情報であると制御部８ｃにより判定された場合には、制御部８ｃは、バーコード１６の情報をメモリカード処理用の機能情報と判断する。メモリカード処理部４ｄを選択する選択情報であれば、機能情報は、解像度や、圧縮形式を示す設定となる（Ｓ８０）。
【００８８】
制御部８ｃは、表示部６へ文字情報「メモリカードへ保存」と表示するとともに、音声発生部７へ「メモリカードへ保存」と音声を発生させて、操作者に対しメモリカード１５へイメージデータが書き込まれることを報知する（Ｓ９０）。
【００８９】
制御部８ｃは、抽出した機能情報の設定内容から解像度の変換や、圧縮形式の変換の処理を行うよう画像処理部８ｂへ通知する。この通知により画像処理部８ｂは、記憶部８ａに格納されたイメージデータを加工する（Ｓ１００）。
【００９０】
そして、画像処理部８ｂによるイメージデータの処理が、一定量終了するごとに制御部８ｃは、イメージデータをメモリカード処理部４ｄへ出力して、メモリカード１５へ格納を行う。このようにして、イメージデータは、機能情報で指定された解像度および圧縮形式でメモリカード１５へ格納される（Ｓ１１０）。
【００９１】
Ｓ３０にて、選択情報が通信部４ａを選択する情報であると制御部８ｃにより判定された場合には、制御部８ｃは、バーコード１６の情報を通信部処理用の機能情報と判断する。通信部４ａを選択する選択情報であれば、機能情報は、解像度、コントラスト、輝度、原稿サイズを示す設定となる（Ｓ１２０）。
【００９２】
制御部８ｃは、表示部６へ文字情報「ＰＣへ送信」と表示するとともに、音声発生部７へ「ＰＣへ送信」と音声を発生させて、操作者に対しＰＣ２へイメージデータを送信されることを報知する（Ｓ１３０）。
【００９３】
制御部８ｃは、抽出した機能情報の設定内容から解像度、コントラスト、輝度、原稿サイズの変換の処理を行うよう画像処理部８ｂへ通知する。この通知により画像処理部８ｂは、記憶部８ａに格納されたイメージデータを加工する（Ｓ１４０）。
【００９４】
そして、画像処理部８ｂによるイメージデータの処理が、一定量終了するごとに制御部８ｃは、イメージデータを通信部４ａへ出力することで、ＰＣ２へ送信する（Ｓ１５０）。
【００９５】
Ｓ３０にて、選択情報がファクシミリ部４ｃを選択する情報であると制御部８ｃにより判定された場合、制御部８ｃは、バーコード１６の情報をファクシミリ用の機能情報と判断する。ファクシミリ部４ｃを選択する選択情報であれば、機能情報は、解像度や、送信先電話番号を示す設定となる（Ｓ１６０）。
【００９６】
制御部８ｃは、表示部６へ文字情報「ファクシミリ」と表示するとともに、音声発生部７へ「ファクシミリ」と音声を発生させて、操作者へ電話回線にイメージデータが送信されることを報知する（Ｓ１７０）。
【００９７】
制御部８ｃは、抽出した機能情報の設定内容から解像度の変換の処理を行うよう画像処理部８ｂへ通知するとともに、ファクシミリ部４ｃへ相手先電話番号を通知する。この通知により画像処理部８ｂは、記憶部８ａに格納されたイメージデータを加工する（Ｓ１８０）。
【００９８】
そして、画像処理部８ｂによるイメージデータの処理が終了したら制御部８ｃは、イメージデータをファクシミリ部４ｃへ出力する（Ｓ１９０）。ファクシミリ部４ｃは設定された相手先電話番号へ発呼してイメージデータをファックスする（Ｓ２００）。
【００９９】
Ｓ３０にて、選択情報がプリンタ部４ｂを選択する情報であると制御部８ｃにより判定された場合、制御部８ｃは、バーコード１６の情報を機能情報と判断する。プリンタ部４ｂを選択する選択情報であれば、機能情報は、解像度、輝度調整データ、拡大縮小率、印刷部数設定、用紙サイズ、用紙タイプを示す設定となる（Ｓ２１０）。
【０１００】
制御部８ｃは、表示部６へ文字情報「コピー」と表示するとともに、音声発生部７へ「コピー」と音声を発生させて、操作者へプリンタ部４ｂにイメージデータが書き込まれることを報知する（Ｓ２２０）。
【０１０１】
制御部８ｃは、抽出した機能情報の設定内容から解像度の変換、輝度調整データの変換の処理を行うよう画像処理部８ｂへ通知するとともに、拡大縮小の設定、印刷部数の設定、用紙サイズの設定、用紙タイプの設定をプリンタ部４ｂへ行う。この通知により画像処理部８ｂは、記憶部８ａに格納されたイメージデータを加工する（Ｓ２３０）。
【０１０２】
そして、画像処理部８ｂによるイメージデータの処理が一定量終了するごとに制御部８ｃは、イメージデータをプリンタ部４ｂへ出力する（Ｓ２４０）。プリンタ部４ｂは設定された内容でイメージデータを印字する（Ｓ２５０）。
【０１０３】
このようにして、原稿シート１１に付与された制御情報であるバーコード１６に基づいてイメージデータ処理部８はイメージデータ出力部４を制御するので、煩雑な設定や操作なしに、確実に使用したい機能を実施することができる。
【０１０４】
図８においては、制御情報であるバーコード１６が付与された原稿シート１１を用いたが、図６または図７に示すバーコード１６が付与されていない原稿シート１１をバーコード１６が付与された原稿シートホルダ１７を用いるようにしてもよい。その場合には、予めバーコード１６が付与されていない原稿シート１１をバーコード１６が付与された原稿シートホルダ１７に収納するという手順を追加するだけでよい。
【０１０５】
また、範囲Ｓ２の内側にバーコード１６が付与された原稿シート１１または原稿シートを収納した原稿シートホルダを用いる場合には、Ｓ８０、Ｓ１２０、Ｓ１６０、Ｓ２１０でのイメージデータ処理部８によるイメージデータの処理の際に、バーコード１６のイメージを除去する手順を行うことで対応が可能である。
【０１０６】
次に、制御情報にスキャナ部を制御する読取情報が含まれている場合の動作を図９に基づいて説明する。図９は、制御情報にスキャナ部を制御する読取情報が含まれている場合の複合機１の動作を説明するフローチャートである。なお、図９においては、図８と同様にバーコード１６は、スキャナ部３が読み取り可能な範囲Ｓ１の内側であり、イメージデータ出力部４が処理するに可能な範囲Ｓ２の外側となる領域に付与された図２で示される原稿シート１１を用いるものとする。
【０１０７】
また、図９においては、スキャナ部３は、列状に配置されたイメージセンサが順次原稿シートを走査してイメージデータを生成する機能を有するものとする。
【０１０８】
図９に示すように、まず、操作者は読み取らせたいバーコード１６が付与された原稿シート１１をスキャナ部３へセットし、操作部５のスタートボタンを操作してイメージデータの取り込みと行う操作は、図８においてのＳ１０と同じである。
【０１０９】
スキャナ部３は、原稿シート１１の範囲Ｓ１の内側であり範囲Ｓ２の外側の領域にあるバーコード１６を走査して、読み込んだバーコード１６の情報をイメージデータ処理部８の記憶部８ａへ出力する。イメージデータ処理部８の制御部８ｃは、記憶部８ａのバーコード１６のイメージデータから制御情報を抽出するよう画像処理部８ｂへ指示する（Ｓ３００）。
【０１１０】
イメージデータ処理部８は、抽出したバーコード１６の情報から読取情報を抽出する。本実施の形態では読取情報として解像度データが含まれているものとする。イメージデータ処理部８は、解像度データが例えば現在の設定値６００ｄｐｉ×６００ｄｐｉと異なる設定を示すものか否かを判定する（Ｓ３１０）。
【０１１１】
Ｓ３１０にて、イメージデータ処理部８が、解像度データが３００ｄｐｉ×３００ｄｐｉであると判定した場合には、スキャナ部３への原稿シート１１の範囲Ｓ２の走査を３００ｄｐｉ×３００ｄｐｉとするように通知する。（Ｓ３２０）。
【０１１２】
スキャナ部３は、３００ｄｐｉ×３００ｄｐｉとなるように通知を受けると、走査の解像度を変更して、バーコード１６を走査した後の範囲Ｓ２の走査を行う。また、Ｓ３１０にて、イメージデータ処理部８が、現在の読み取り解像度と同じ、６００ｄｐｉ×６００ｄｐｉの解像度データであると判定した場合には、スキャナ部３へそのまま走査の変更を行わずに残りの範囲Ｓ２を走査するように通知するので、そのままの設定でスキャナ部３は走査する。解像度を低下させた解像度データの場合は、走査を高速に走査することができるので、読み取り時間を短時間で完了させることができる（Ｓ３３０）。
【０１１３】
原稿シート１１のイメージデータの読み取りが完了すると、これ以降は図８に示されるＳ３０から行う処理と同様となるので省略する。
【０１１４】
このように、制御情報としてバーコード１６に読取情報として解像度データを含ませることで、操作者が所望とする解像度に、煩雑な設定操作をしなくとも読み取ることが可能である。また低解像度とするときは高速に処理することが可能であり、再度読み直しを行う必要がない。
【０１１５】
以上、本発明の実施の形態について説明してきたが、本発明は前記実施の形態に限定されるものではなく、例えば、バーコード１６の代わりにマークシートとすることも可能である。マークシートとすることで、スキャナ部３で読み込む段階で複数情報の中から逐次機能を選択することが可能となるので、イメージデータ出力部４の設定内容について誤って設定したとしても、再度やり直すことが容易となる。
【０１１６】
本実施の形態では、音声発生部７を設けているが、音声発生部７の代わりとしてファクシミリ部４ｃに含まれるモデムのデジタル信号をアナログ信号に変換してスピーカから出力する機能を用いるようにしてもよい。
【産業上の利用可能性】
【０１１７】
本発明は、操作表示部を操作することなく、確実に使用したい機能を実施することができるので、読み取ったイメージデータの情報に基づいて制御可能なスキャナ装置、原稿シートおよび原稿シートホルダに適用が可能である。
【図面の簡単な説明】
【０１１８】
【図１】本発明の実施の形態に係るスキャナ装置の一例である複合機を説明する図
【図２】本発明の実施の形態に係る原稿シートに付与された制御情報を説明する図
【図３】本発明の実施の形態に係る原稿シートに付与された制御情報を説明する図
【図４】本発明の実施の形態に係る原稿シートに付与された制御情報を説明する図
【図５】本発明の実施の形態に係る原稿シートに付与された制御情報を説明する図
【図６】本発明の実施の形態に係る原稿シートホルダに付与された制御情報を説明する図
【図７】本発明の実施の形態に係る原稿シートホルダに付与された制御情報を説明する図
【図８】本発明の実施の形態に係るスキャナ装置の一例である複合機の動作を説明するフローチャート
【図９】制御情報にスキャナ部を制御する読取情報が含まれている場合の複合機の動作を説明するフローチャート
【符号の説明】
【０１１９】
１    複合機
２    パーソナルコンピュータ（ＰＣ）
２ａ    通信回線
３    スキャナ部
４    イメージデータ出力部
４ａ    通信部
４ｂ    プリンタ部
４ｃ    ファクシミリ部
４ｄ    メモリカード処理部
５    操作部
６    表示部
７    音声発生部
８    イメージデータ処理部
８ａ    記憶部
８ｂ    画像処理部
８ｃ    制御部
１１    原稿シート
１２    印字媒体
１３    電話回線
１４    交換局
１５    メモリカード
１６    バーコード
１７    原稿シートホルダ
【図１】
2006191259.tif 000003
【図２】
2006191259.tif 000004
【図３】
2006191259.tif 000005
【図４】
2006191259.tif 000006
【図５】
2006191259.tif 000007
【図６】
2006191259.tif 000008
【図７】
2006191259.tif 000009
【図８】
2006191259.tif 000010
【図９】
2006191259.tif 000011